(57)【要約】      （修正有）【課題】包装用に部品を増加させることなく、作業も低減することができる照明器具包装体を提供する。【解決手段】長方体の包装箱１と、該包装箱１の内部に載置される緩衝材２と、照明器具６，７を覆う四角シート８と、を有し、前記緩衝材２は、底面板部と、該底面板部の端部を重ね折りして形成する重ね折り部３と、前記底面板部の端部に設けられる三面立ち上がり部４と、を有し、前記照明器具６，７の包装状態では、前記四角シート８は前記重ね折り部３で抑止されている状態である。【選択図】図１
2018034818.tif 000002
【特許請求の範囲】
【請求項１】
長方体の包装箱と、該包装箱の内部に載置される緩衝材と、照明器具を覆う四角シートと、を有し、
前記緩衝材は、底面板部と、該底面板部の端部を重ね折りして形成する重ね折り部と、前記底面板部の端部に設けられる三面立ち上がり部と、を有し、
前記照明器具の包装状態では、前記四角シートは前記重ね折り部で抑止されている状態であることを特徴とする照明器具包装体。
【発明の詳細な説明】
【技術分野】
【０００１】
本発明は、照明器具包装体に関するものである。
【背景技術】
【０００２】
従来の照明器具の包装形態として、擦過防止のために、透光カバーをポリ袋に入れていた。また、四角シートで透光カバーを覆うことなども行われていた。更に、特許文献１には、透光カバー（セード）を固定するための包装用パッドが記載されている。
【先行技術文献】
【特許文献】
【０００３】
【特許文献１】特開平11-115969号公報
【発明の概要】
【発明が解決しようとする課題】
【０００４】
従来において、ポリ袋を使用すると、ポリ袋に入れる作業が発生していた。また、四角シートではズレを抑止するために、透光カバーを覆った後、粘着テープで四角シートを留めるか、他の緩衝材に切り込みを形成し、四角シートをその切り込みに差し込む作業が必要であった。また、特許文献１に記載のように包装用パッドを用いると、包装用の部材が増えるものである。
【０００５】
本発明では、包装用に部品を増加させることなく、作業も低減することができる照明器具包装体を提供することを目的とする。
【課題を解決するための手段】
【０００６】
本発明の目的を解決するために、長方体の包装箱と、該包装箱の内部に載置される緩衝材と、照明器具を覆う四角シートと、を有し、前記緩衝材は、底面板部と、該底面板部の端部を重ね折りして形成する重ね折り部と、前記底面板部の端部に設けられる三面立ち上がり部と、を有し、前記照明器具の包装状態では、前記四角シートは前記重ね折り部で抑止されている状態であることを特徴とする。
【発明の効果】
【０００７】
本発明によれば、包装用に部品を増加させることなく、作業も低減することができる照明器具包装体を提供することができる。ポリ袋への入れる作業を削減でき、また、粘着テープでの抑止作業などが削減できる。
【図面の簡単な説明】
【０００８】
【図１】環状形照明器具包装体の構成を示す斜視図である。
【図２】環状形照明器具包装体の構成を示す上面図である。
【図３】環状形照明器具包装体の完成状態を示す断面図である。
【図４】緩衝材の平面説明図である。
【図５】緩衝材の組立説明図である。
【図６】緩衝材の組立完成説明図である。
【図７】四角シートを覆う動作の組立説明図である。
【図８】四角シートが重ね部で押さえつけられた状態の説明図である。
【発明を実施するための形態】
【０００９】
以下、本発明の実施例を添付図面に従って説明する。
【００１０】
図１から図８は本発明の環状形の照明器具を包装する照明器具包装体の一実施例を示している。図１に示されている包装箱１は、段ボール製で長方体に組み合わされる。包装箱１の内側の底面には、緩衝材２が載置される。緩衝材２は、段ボール製である。緩衝材２は、底面板部２０と、底面板部２０の端部に設けられる重ね折り部３と三面立ち上がり部４と、を有する。三面立ち上がり部４は、底面板部２０に対し垂直方向に折り曲げることができる。三面立ち上がり部４を底面板部２０に対し折り曲げた状態（図１，２に示す状態）で、重ねられる部分を重ね折り部３と呼ぶ。三面立ち上がり部４は、包装箱１の内側に載置されるまでは、底面板部２０の両端に自由に開くことが可能である。しかし、包装箱１の内側に載置されると、包装箱１の内側の上下方向（底面から垂直の方向）の支柱の役割を果たすことができる。
【００１１】
緩衝材２の略中央には、樹脂性の凸形状を成す取付アダプタ５を配している。取付アダプタ５には、図１〜３のように、光源部を上面にして環状形照明器具本体６を取り付けることができる。環状形照明器具本体６には、透光性を有する環状透光カバー７が、環状形器具本体６の本体内周に沿って回転することにより取り付けられる。環状透光カバー７は、三面立ち上がり部４との擦過傷を防止するため四角シート８で覆われる。四角シート８は、環状透光カバー７を覆った後に、四角シート８の四隅９を重ね折り部３で抑止される。これにより、環状透光カバー７が包装状態となる。
【００１２】
言い換えると、長方体の包装箱１の内側に、底面板状に載置される緩衝材２を備え、緩衝材２は端部を重ね折りして形成する重ね折り部３と重ね折り部から延長する三面立ち上がり部４を両端に設け、包装箱１に載置されるまでは自由に開き、包装箱１に載置されると内面の支柱として介在する。かつ、中央には、樹脂性の凸形状を成す取付アダプタ５を配している。取付アダプタ５には、光源部を上面にして載置する環状形照明器具本体６を備え、透光性を有する環状透光カバー７が本体内周に沿って回転式に取付られ、環状透光カバー７には、三面立ち上がり部４との擦過傷を防止するため四角シート８で覆われ、包装状態では四角シート８の四隅は三面立ち上がり部４の重ね折り部３で抑止される。
【００１３】
上記構成により、緩衝材２の三面立ち上がり部４の形成前に四角シート８の四隅を緩衝材２に沿わせ、三面立ち上がり部４の形成時に重ね折り部３で押えることでズレを抑制することができる。これにより、包装用に部品を増加させることなく、作業も低減することができる照明器具包装体を提供することができる。ポリ袋への入れる作業を削減でき、また、粘着テープでの抑止作業などが削減できる。
【００１４】
図２は、環状形照明器具包装体の構成を示す上面図である。三面立ち上がり部４は、上方視で八角形の内の６辺に形成される。また、重ね折り部３は、上面視で底面板部２０の四隅に略三角形で形成される。また、三面立ち上がり部４を折り曲げた状態の緩衝材２の外形寸法は、包装箱１の内側の寸法より小さく、かつ、大きな横ズレが発生しない寸法になっている。
【００１５】
図３は、環状形照明器具包装体の完成状態を示す断面図である。図３に示すように、三面立ち上がり部４は包装箱１の内面に支柱として介在し、上方からの力に対するつぶれを抑止しており、重ね折り部３の開きも抑止している。
【００１６】
図４は、緩衝材の平面説明図である。図４に示すように、緩衝材２は一枚の段ボールで形成され、四隅に三角形状に切り込みを設け、重ね折り部３を形成する。また、両端に三面立ち上がり部４を形成するための２本の切り込みを設けている。さらに取付アダプタ５を配する角孔10を中央に設ける。
【００１７】
図５は、緩衝材の組立説明図である。図５に示す重ね折り部３及び、三面立ち上がり部４は、包装箱１の内部に載置されるまでは自由に開く状態になっている。図６は、緩衝材の組立完成説明図である。図６に示すように、緩衝材２は、包装箱１に載置されているときは両端の三面立ち上がり部４が垂直に立ち上がり保持される。
【００１８】
図７は、四角シートを覆う動作の組立説明図である。図７に示すように、四角シート８は、緩衝材２が図５の状態で前記取付アダプタ５に環状形照明器具本体６と環状透光カバー７を載置したあとで覆い、四隅９を重ね折り部３に挟み込む。図８は、四角シートが重ね部で押さえつけられた状態の説明図である。図８に示すように、重ね折り部３は包装箱１に載置されると四隅９を押さえつける。
【符号の説明】
【００１９】
１…包装箱、２…緩衝材、３…重ね折り部、４…三面立ち上がり部、５…取付アダプタ、６…環状形照明器具本体、７…環状透光カバー、８…四角シート、９…四隅、１０…角孔、２０…底面板部
【図１】
2018034818.tif 000003
【図２】
2018034818.tif 000004
【図３】
2018034818.tif 000005
【図４】
2018034818.tif 000006
【図５】
2018034818.tif 000007
【図６】
2018034818.tif 000008
【図７】
2018034818.tif 000009
【図８】
2018034818.tif 000010